(57)【要約】【課題】入口側板の前側にユニット構造の穀稈掻込み装置をコンパクトに纏めて取付固定することができると共に、穀稈ガイドを安定よく支持し穀稈の掻込み供給を穂先側の浮き上がりを防止してスムーズに行う脱穀機の穀稈掻込み装置を提供する。【解決手段】フィードチェン７によって挟持搬送される穀稈の穂先側を、入口案内板９から扱室３内に掻込み供給するパッカー１１を有する穀稈掻込み装置５を、扱胴２を回転可能に軸支する扱室３の入口側板４の前側に設ける脱穀機１で、前記穀稈掻込み装置５のパッカー伝動ケース２２を、取付フレーム２５によって扱室３の入口側板４に着脱可能に支持し、且つ取付フレーム２５に入口案内板９との間で穀稈掻込路Ｋを形成する穀稈ガイド２６を設けた。【選択図】図１
2006101803.tif 000002
【特許請求の範囲】
【請求項１】
フィードチェン（７）によって挟持搬送される穀稈の穂先側を、入口案内板（９）から扱室（３）内に掻込み供給するパッカー（１１）を有する穀稈掻込み装置（５）を、扱胴（２）を回転可能に軸支する扱室（３）の入口側板（４）の前側に設ける脱穀機（１）において、前記穀稈掻込み装置（５）のパッカー伝動ケース（２２）を、取付フレーム（２５）によって扱室（３）の入口側板４に着脱可能に支持し、且つ取付フレーム（２５）に入口案内板（９）との間で穀稈掻込路Ｋを形成する穀稈ガイド（２６）を設けた脱穀機の穀稈掻込み装置。
【請求項２】
扱胴伝動ケース（１６）に軸支される扱胴入力軸（１９）を前方に突出させ、該扱胴入力軸（１９）からパッカー伝動ケース（２２）を介してパッカー（１１）を駆動する請求項１記載の脱穀機の穀稈掻込み装置。
【請求項３】
扱胴入力軸（１９）を扱胴軸（１５）の上方に位置させて扱胴伝動ケース（１６）に軸支する請求項１又は２記載の脱穀機の穀稈掻込み装置。
【発明の詳細な説明】
【技術分野】
【０００１】
本発明は、脱穀機の穀稈掻込み装置に関する。
【背景技術】
【０００２】
従来、扱室の入口側板の前側に、フィードチェンによって挟持搬送される穀稈の穂先側をパッカーによって扱室内に掻込み供給する穀稈掻込み装置を設けた脱穀機は特許文献１に示されるように既に公知である。
この穀稈掻込み装置は、エンジン側から扱胴の扱胴軸を駆動する扱胴駆動軸を内装した扱胴伝動ケースに支持され、該扱胴駆動軸の端部に設けたリンク機構によってパッカーを駆動可能に支持する構成となっている。
【特許文献１】実開昭５５−３７３６９号公報
【発明の開示】
【発明が解決しようとする課題】
【０００３】
上記特許文献１で示される穀稈掻込み装置は、入口側板に沿ってエンジン側から横方向に延長された扱胴駆動軸の端部に設けた駆動リンクからパッカーを回転駆動するので、穂先側用のパッカーを設ける場合に扱胴駆動軸を内装する扱胴伝動ケースが邪魔になり、株元側パッカーから二股状に形成された不安定構造のパッカー構造になる。また扱室の穀稈入口から延設される入口案内板と扱胴伝動ケースで形成される空間部も狭くなり、パッカーの穀稈掻込軌跡が制約され、例えば屈折したり長い穀稈の穂先を引っ掛け易くなって適切な掻込み供給することができない等の欠点がある。
【０００４】
また穀稈穂先側の浮き上がりを規制する穀稈ガイドを設けず、パッカーの往復運動だけで穀稈穂先側を掻込むので、ボリュウムの大きい穀稈穂先側や上方に浮き上がった穂先側を掻込むとき、パッカーは復動するときに穂先側を引っ掛けて逆方向に戻し搬送乱れを生じ易い等の問題がある。
【課題を解決するための手段】
【０００５】
上記課題を解決するために本発明の脱穀機の穀稈掻込み装置は、第１に、フィードチェン７によって挟持搬送される穀稈の穂先側を、入口案内板９から扱室３内に掻込み供給するパッカー１１を有する穀稈掻込み装置５を、扱胴２を回転可能に軸支する扱室３の入口側板４の前側に設ける脱穀機１において、前記穀稈掻込み装置５のパッカー伝動ケース２２を、取付フレーム２５によって扱室３の入口側板４に着脱可能に支持し、且つ取付フレーム２５に入口案内板９との間で穀稈掻込路Ｋを形成する穀稈ガイド２６を設けたことを特徴としている。
【０００６】
第２に、扱胴伝動ケース１６に軸支される扱胴入力軸１９を前方に突出させ、該扱胴入力軸１９からパッカー伝動ケース２２を介してパッカー１１を駆動することを特徴としている。
【０００７】
第３に、扱胴入力軸１９を扱胴軸１５の上方に位置させて扱胴伝動ケース１６に軸支することを特徴としている。
【発明の効果】
【０００８】
以上のように本発明による脱穀機の穀稈掻込み装置は、パッカー伝動ケースに延設した取付フレームを扱室の入口側板に着脱可能に支持することにより、入口側板の前側にユニット構造の穀稈掻込み装置を安定よく簡単に取付固定することができる。
またパッカー伝動ケースを取付固定する取付フレームは、穀稈ガイドの取付部材に兼用することができ、穀稈ガイドの上方を高い位置から安定よく支持し入口案内板との間に穀稈掻込路を形成して、穀稈穂先側の浮き上がりを防止しスムーズな掻込み供給を行うことができる。
【０００９】
また扱胴伝動ケースから前側に突出させた扱胴入力軸から、パッカー伝動ケースを介しパッカーを駆動する構成としたことにより、入口側板の前側にパッカー伝動ケースをコンパクトに纏めて設置し穀稈穂先側の空間部を広く形成するので、該空間部にパッカーを設け穀稈穂先側の掻込み供給を行うことができる。
【００１０】
また扱胴入力軸を扱胴軸の上方に位置させて扱胴伝動ケースに軸支することにより、入口案内板の上方に広い空間部を形成しパッカー伝動ケースを設置することができるので、十分な長さのパッカーによって掻込み作業時に穂先側の乱れを防止し扱室内に供給することができる。
【発明を実施するための最良の形態】
【００１１】
本発明の一実施形態を図面に基づいて説明する。符号１はコンバイン等に搭載される脱穀機であり、扱胴２を軸支した扱室３を形成する上部ケース部の入口側板４に本発明に係わる穀稈掻込み装置５を着脱可能に取付固定している。
上記脱穀機１は従来のものと同様に扱室３の扱口６に沿ってフィードチェン７を張設し、該フィードチェン７の始端部に前処理部の穀稈搬送チェン８を接続し、前処理部で刈り取り搬送される穀稈を継送搬送し扱室３に供給することができる。
【００１２】
フィードチェン７に継送された穀稈は、扱口６の前側で入口側板４と入口案内板９によって形成される穀稈入口１０に供給されるとき、穀稈穂先側を前記穀稈掻込み装置５のパッカー１１によって掻込まれ、入口案内板９上で扱室３内への穀稈供給を促進することができる。また入口案内板９上で入口部に堆積しようとする刺さり粒を含む藁屑類も穀稈と共に扱室３内に供給され脱穀処理を行うことができる。
【００１３】
図示例の脱穀機１は、エンジン側から伝動される駆動ケース１２の駆動プーリー１３から扱胴２の扱胴軸１５を駆動する扱胴伝動ケース１６を、入口側板４の前側に取付固定している。扱胴伝動ケース１６は扱胴軸１５を軸支しており、その上方に入力プーリー１７を有する扱胴軸１５を軸支している。これにより駆動プーリー１３と入力プーリー１７とに巻き掛けた伝動ベルト２０による回転動力を、扱胴伝動ケース１６内のギヤ伝動機構を介し扱胴軸１５に回転伝達することができる。
【００１４】
扱胴伝動ケース１６に軸支される扱胴入力軸１９は、入力プーリー１７を支持し前側に延長した先端部にピニオンギヤ２１を一体的に形成し、該ピニオンギヤ２１を後述する穀稈掻込み装置５のパッカー伝動ケース２２内のベベルギヤ２３に係脱可能に噛合させる構成となっている。これによりパッカー伝動ケース２２は巾狭コンパクト型にすることができ、入力プーリー１７の前側に支持した状態で、従来のもののように穀稈穂先側に伝動軸を横設することなく広い穂側入口空間部を形成することができ、またパッカー伝動ケース２２を扱胴軸１５より上方に位置させて、入口案内板９との間に上下方向に広い入口空間部を形成することができる。
【００１５】
次に穀稈掻込み装置５について説明する。この穀稈掻込み装置５は前記扱胴入力軸１９に取付支持されるパッカー伝動ケース２２と、該パッカー伝動ケース２２に取付固定されて、入力プーリー１７の前側を迂回し後方に延設される左右の取付フレーム２５と、パッカー伝動ケース２２によって駆動されるパッカー１１と、取付フレーム２５から下向きに一体的に支持され、前記入口案内板９との間で穀稈掻込路Ｋを形成し穀稈穂先側の浮き上
がりを防止し、スムーズな掻込み供給を行う穀稈ガイド２６とを、図４で示されるようなユニット構造で構成している。
【００１６】
そして、左右の取付フレーム２５の端部を取付ブラケット２７によって連結し、該取付ブラケット２７はその取付孔２９に取付ボルト３０が挿入され入口側板４の上部に取付固定するようにしている。このときパッカー伝動ケース２２はメタル支持部３１を介し扱胴軸１５の先端部に挿脱可能に挿入支持する。これにより穀稈掻込み装置５は入口側板４の前側で上下が固定され、扱胴伝動ケース１６の前方にコンパクトに纏めて安定よく取付支持することができる。
【００１７】
図示例のパッカー１１は左右に２連で互いに位相を異ならせて交互に掻込み可能とする多連型掻込み方式としている。このためパッカー１１，１１の上部は、左右の取付フレーム２５の上部に設けた横支持軸３２に単独回動可能に軸支した支持リンク３３，３３に軸支連結される。
またパッカー１１，１１の中途部は、パッカー伝動ケース２２に軸支されてベベルギヤ２３を有する回転軸３５と、該回転軸３５と同心で分割され取付フレーム２５，２５等に個別に軸支される回転軸３５ａとに設けた、各回転リンク３６に軸支連結される。
【００１８】
これにより扱胴入力軸１９が回転するとき、パッカー１１，１１はその先端部が図１の点線で示す掻込軌跡を描いて回転し、穀稈の穂先側の掻込みを交互に連続して行い、フィードチェン７で株元側が挟持搬送される穀稈を穂先側の遅れを伴うことなく穀稈入口１０から扱室３内にスムーズに供給する。
【００１９】
以上のようにパッカー１１を駆動させるパッカー伝動ケース２２を、扱胴２の扱胴伝動ケース１６に着脱可能に支持して駆動させると共に、パッカー伝動ケース２２から上方に延設した取付フレーム２５を扱室３の入口側板４に着脱可能に支持することにより、入口側板４の前側において、穀稈掻込み装置５を上下方向を支持し安定よく取付固定することができる。
【００２０】
また扱胴軸１５を駆動する扱胴入力軸１９を扱胴伝動ケース１６から前側に突出させ、該扱胴入力軸１９からパッカー伝動ケース２２の回転軸３５を回転しパッカー１１を駆動することにより、簡潔なベベルギヤ伝動方式によって左右巾を大きくすることなく、パッカー伝動ケース２２をコンパクトに纏めた軽量構造にすることができる。従って、パッカー伝動ケース２２の穀稈穂先側へのパッカー設置空間部も広くとることができ、該空間部に穂先側用のパッカー１１を適切な配置を以て設置することができるので、穀稈穂先側の掻込み供給をスムーズに行うことができる。
【００２１】
さらに、上記扱胴入力軸１９を扱胴伝動ケース１６に対し扱胴軸１５の上方に位置させて軸支することにより、穀稈掻込み装置５のパッカー伝動ケース２２を入口案内板９の上方で広い空間部を形成することができるので、パッカー１１の上下方向の長さ十分にとりながら掻込み軌跡並びにストロークも適切にとることができ、掻込み作業時に穀稈穂先側を乱すことなく穀稈入口１０に向けて供給することができる。
【００２２】
このときパッカー伝動ケース２２を取付固定する取付フレーム２５を取付部材に兼用して取付固定される穀稈ガイド２６は、その基部を入口案内板９の上方で高い位置から安定よく支持することができる。また穀稈ガイド２６の穀稈案内面２６ａは、穀稈搬送方向の上手側から下向きに滑らかに屈曲形成することができ、掻込み時にパッカー１１を突出させ且つ戻り軌跡を覆いながら、入口案内板９との間で穀稈を規制案内し穂先側の浮き上がりを防止する穀稈掻込路Ｋを簡単に形成することができ、パッカー１１による穀稈掻込路Ｋ内の穀稈の掻込み送りを整然と行なわせる等の利点がある。
【００２３】
また以上のように構成される穀稈掻込み装置５を脱穀機１から取り外したい場合は、取り付け時の逆順の作業を以て簡単に取り外すことができる。また穀稈掻込み装置５を装着しない状態の脱穀機１は、扱胴入力軸１９の先端部を予め準備される図示しない入口側板カバーで覆うことができる。
【００２４】
尚、扱胴伝動ケース１６はピニオンギヤ２１を有する扱胴入力軸１９とピニオンギヤ２１を有しない扱胴入力軸とを抜き差し交換可能に構成することが望ましく、この場合には穀稈掻込み装置５を有しない脱穀機１に対しても、必要により後付け作業によって穀稈掻込み装置５を簡単に装着することができる。
【図面の簡単な説明】
【００２５】
【図１】本発明に係わる穀稈掻込み装置を備えた脱穀機の側面図である。
【図２】図１の要部の構成を示す平断面図である。
【図３】図１の穀稈掻込み装置の構成を示す正面図である。
【図４】穀稈掻込み装置の全体構成を示す斜視図である。
【符号の説明】
【００２６】
１    脱穀機
２    扱胴
３    扱室
４    入口側板
５    穀稈掻込み装置
７    フィードチェン
９    入口案内板
１０  穀稈入口
１１  パッカー
１５  扱胴軸
１６  扱胴伝動ケース
１９  扱胴入力軸
２２  パッカー伝動ケース
２５  取付フレーム
２６  穀稈ガイド
２６ａ  穀稈案内面
【図１】
2006101803.tif 000003
【図２】
2006101803.tif 000004
【図３】
2006101803.tif 000005
【図４】
2006101803.tif 000006